(57)【要約】【課題】本発明は、通話時の接続をワンタッチで行なえ、登録文字数に制限のないＩＰ通信端末と、ＩＰ通信端末の接続をワンタッチで行なわせることができるワンタッチダイヤル登録方法を提供することを目的とする。【解決手段】本発明のＩＰ通信端末は、ワンタッチダイヤルキーが押下されると、ワンタッチダイヤル管理手段１４がワンタッチダイヤルテーブル１６ｂに登録された接続先に対して発信でき、ワンタッチダイヤルテーブル１６ｂには、少なくともワンタッチダイヤル番号と関係付けられたＩＰアドレス、エイリアスアドレス、電話番号のいずれかが登録される。また、本発明のワンタッチダイヤル登録方法は、通話終了後に、未登録のワンタッチダイヤルキーを押下してゲートキーパーにエイリアスアドレスを問い合わせ、該エイリアスアドレスとワンタッチダイヤル番号を関係付けてワンタッチ登録を行なう。【選択図】  図２
2004187059.tif 000002
【特許請求の範囲】
【請求項１】
ワンタッチダイヤルキーが押下されると、ワンタッチダイヤル管理手段がワンタッチダイヤルテーブルに登録された接続先に対して発信するＩＰ通信端末であって、
前記ワンタッチダイヤルテーブルには、ワンタッチダイヤル番号と関係付けられたＩＰアドレス、エイリアスアドレス、電話番号のいずれかが登録されることを特徴とするＩＰ通信端末。
【請求項２】
前記ワンタッチダイヤル番号に前記エイリアスアドレスが関係付けられ場合には、ゲートキーパーに前記エイリアスアドレスを送信するためのフラグが前記ワンタッチダイヤルテーブルにセットされ、該ゲートキーパーで前記エイリアスアドレスがＩＰアドレスに変換されることを特徴とする請求項１記載のＩＰ通信端末。
【請求項３】
前記ワンタッチダイヤル番号に前記電話番号が関係付けられ場合には、ゲートウェイに前記電話番号を送信するためのフラグが前記ワンタッチダイヤルテーブルにセットされ、該ゲートウェイで前記電話番号に変換されることを特徴とする請求項１記載のＩＰ通信端末。
【請求項４】
前記ワンタッチダイヤル番号に前記ＩＰアドレスが関係付けられた場合には、ピア・ツー・ピアで接続するためにフラグが前記ワンタッチダイヤルテーブルにセットされないことを特徴とする請求項１記載のＩＰ通信端末。
【請求項５】
前記ワンタッチダイヤル番号に接続先が未登録の場合には、前記ゲートウェイに通信可能な相手先一覧を要求するためのフラグがセットされることを特徴とする請求項１記載のＩＰ通信端末。
【請求項６】
前記ワンタッチダイヤル番号に接続先が未登録の場合に、内部の電話帳・アドレステーブルから通信可能な相手先一覧を読み出すためのフラグがセットされることを特徴とする請求項１記載のＩＰ通信端末。
【請求項７】
前記ワンタッチダイヤルテーブルのデータ域が可変長であって、該ワンタッチダイヤルテーブルにセットできる文字数が無制限であることを特徴とする請求項１〜６のいずれかに記載のＩＰ通信端末。
【請求項８】
ターミナルからウェブサーバにアクセスし、該ウェブサーバからワンタッチ登録用ウェブページを受信して該ワンタッチ登録用ウェブページによってワンタッチ登録要求を行い、前記ウェブサーバがＩＰ通信端末のワンタッチ登録を行なうことを特徴とするワンタッチダイヤル登録方法。
【請求項９】
他のＩＰ通信端末から着信して通話終了後に、未登録のワンタッチダイヤルキーを押下してゲートキーパーにエイリアスアドレスを問い合わせ、該エイリアスアドレスとワンタッチダイヤル番号を関係付けて前記ＩＰ通信端末のワンタッチ登録を行なうことを特徴とするワンタッチダイヤル登録方法。
【請求項１０】
未登録のワンタッチダイヤルキーを押下してゲートウェイに通信可能な相手先一覧を要求し、該相手先一覧の中から相手先を選択して前記ワンタッチダイヤルキーを押下すると、選択した相手先のＩＰ通信端末が該ワンタッチダイヤルキーに関係づけられてワンタッチ登録されることを特徴とするワンタッチダイヤル登録方法。
【請求項１１】
未登録のワンタッチダイヤルキーを押下して記憶手段の電話帳・アドレステーブルから通信可能な相手先一覧を読み出し、該相手先一覧の中から相手先を選択して前記ワンタッチダイヤルキーを押下すると、選択した相手先のＩＰ通信端末が該ワンタッチダイヤルキーに関係づけられてワンタッチ登録されることを特徴とするワンタッチダイヤル登録方法。
【発明の詳細な説明】
【０００１】
【発明の属する技術分野】
本発明は、通話時の接続をワンタッチで行なえ、アドレス情報の登録が容易で、登録文字数に制限のないＩＰ通信端末、及びそのワンタッチダイヤル登録方法に関する。
【０００２】
【従来の技術】
従来、インターネットやイントラネット等を利用して、２つのＩＰ通信端末を接続して音声通信を行うネットワーク通話システムが提案されている。この場合、２つの通信端末同士がＩＰアドレスを用いて直接ピア・ツー・ピアで接続するものである。しかし、このネットワークシステムでは接続するため相手のＩＰアドレスを入力する必要があった。この入力作業は面倒なものであった。
【０００３】
そこで、こうした煩わしい操作をしないで確実な発信が行なえるＶｏ（Ｖｏｉｃｅ  ｏｖｅｒ）ＩＰ電話（以下ＩＰ電話）を使っての電話発信方法が提案された（特許文献１）。図１３は従来の電話発信するネットワーク通話システムの構成図である。この従来のネットワーク通話システムは、次のような操作で電話発信する。すなわち、図１３に示すように、ＬＡＮ１００に接続されたＩＰ電話１６０と端末装置１７０との間の通信に基づいて電話発信を行う。ＩＰ電話１６０を操作して電話帳アプリケーションポップアップメッセージを端末装置１７０に送出する。端末装置１７０がＩＰ電話１６０からのポップアップメッセージによって電話帳アプリケーションプログラムを自動起動して実行する。電話帳アプリケーションプログラムはＷＷＷサーバ１２０へ電話帳データの要求を行ない、ＷＷＷサーバ１２０はデータベースから電話帳データを検索して、検索結果をＨＴＭＬファイルとして電話帳アプリケーションプログラムに返送する。端末装置１７０ではこの電話帳データ（リスト）を画面表示し、一覧表示された電話帳データから電話相手先の電話番号を選択し、この選択した電話番号情報をＩＰ電話１６０へ転送する。ＩＰ電話１６０が端末装置１７０から転送した電話番号を電話網に収容された電話端末に自動発信するものである。ゲートキーパー１３０によってアドレス交換されてゲートウェイ１４０を経て一般電話端末１５０に接続される。
【０００４】
この従来のネットワーク通話システムは、ＩＰ電話１６０の煩わしい手動ダイヤル操作を行わずに電話相手先への電話発信を可能にする。加えて、最近の電話はディスプレーが狭い上に、多数の文字などが表示されることが多いが、さらにまた、アドレス帳アプリケーションソフトウェアを利用した相手先の検索時に電話番号を見間違えたり、手入力時のダイヤルボタンの押し間違えが起こりがちであるが、このような誤操作によって引き起こされる間違い電話の発信を皆無にすることができるものである。
【０００５】
【特許文献１】
特開２００１−１２７９０２号公報
【０００６】
【発明が解決しようとする課題】
しかし、以上説明した従来のネットワーク通話システムでは、２つのＩＰ電話同士がＩＰアドレスを用いてピア・ツー・ピアで直接接続するためには、相手のＩＰアドレスを入力する必要があり、非常に煩わしい。
【０００７】
また、別の従来のネットワーク通話システムは、ＩＰ電話１６０のポップアップメッセージで端末装置１７０のアプリケーションソフトウェアを自動起動し、ＷＷＷサーバ１２０から得た電話帳データから相手の電話番号を選択し、これをＩＰ電話１６０へ転送し、ゲートキーパー１３０に向けて発信する。このため相手のＩＰアドレスを入力する必要はなくなるが、その操作はまだ煩わしく、依然として利用者に負担が残るものであった。
【０００８】
同様に、所定のアプリケーションプロバイダのサービスを利用すれば、ディレクトリサーバをもつゲートウェイに対して電話番号やエイリアスアドレスを含んだＩＰパケットを送信して接続することができる。しかし所定のアプリケーションソフトウェアを利用しなければとくにエイリアスアドレスでは通話できず、通話できる相手が限られてしまう上に、この場合もワンタッチで発信などできないものであった。
【０００９】
ところで、よく知られているように電話機にはワンタッチダイヤル登録機能が設けられている。これは相手の電話番号を手入力で入力し、ワンタッチダイヤルキーで登録を行うもので、以後簡単にワンタッチ発信が可能になる。しかし、ＩＰ電話ではこのワンタッチダイヤル登録を行なうことができなかった。すなわち、電話番号しか登録できず、上述の従来のネットワーク通話システムでは、ＷＷＷサーバ１２０のデータベースから電話帳データを入手しても、ワンタッチダイヤル登録が行なえる文字数は制限されており、アドレス情報を使っての各別の接続情報の登録には未対応でワンタッチダイヤル登録は難しかった。
【００１０】
そこで、本発明は、通話時の接続をワンタッチで行なえ、アドレス情報の登録が容易で、登録文字数に制限のないＩＰ通信端末を提供することを目的とする。
【００１１】
また、本発明は、ＩＰ通信端末の接続をワンタッチで行なわせることができるワンタッチダイヤル登録方法を提供することを目的とする。
【００１２】
【課題を解決するための手段】
上記の課題を解決するために本発明のＩＰ通信端末は、ワンタッチダイヤルキーが押下されると、ワンタッチダイヤル管理手段がワンタッチダイヤルテーブルに登録された接続先に対して発信するＩＰ通信端末であって、ワンタッチダイヤルテーブルには、少なくともワンタッチダイヤル番号と関係付けられたＩＰアドレス、エイリアスアドレス、電話番号のいずれかが登録されることを特徴とする。
【００１３】
これにより、通話時の接続をワンタッチで行なえ、アドレス情報の登録が容易で、登録文字数に制限のないＩＰ通信端末とそのワンタッチダイヤル登録方法を提供することができる。
【００１４】
【発明の実施の形態】
本発明の請求項１に記載の発明は、ワンタッチダイヤルキーが押下されると、ワンタッチダイヤル管理手段がワンタッチダイヤルテーブルに登録された接続先に対して発信するＩＰ通信端末であって、ワンタッチダイヤルテーブルには、ワンタッチダイヤル番号と関係付けられたＩＰアドレス、エイリアスアドレス、電話番号のいずれかが登録されることを特徴とするＩＰ通信端末であり、通話時の接続をワンタッチで行なえ、アドレス情報の登録を容易に行なうことができる。
【００１５】
本発明の請求項２に記載の発明は、ワンタッチダイヤル番号にエイリアスアドレスが関係付けられ場合には、ゲートキーパーにエイリアスアドレスを送信するためのフラグがワンタッチダイヤルテーブルにセットされ、該ゲートキーパーでエイリアスアドレスがＩＰアドレスに変換されることを特徴とする請求項１記載のＩＰ通信端末であり、エイリアスアドレスを登録しておいてもゲートキーパーでＩＰアドレスに変換でき、接続をワンタッチで行なえる。
【００１６】
本発明の請求項３に記載の発明は、ワンタッチダイヤル番号に電話番号が関係付けられ場合には、ゲートウェイに電話番号を送信するためのフラグがワンタッチダイヤルテーブルにセットされ、該ゲートウェイで電話番号に変換されることを特徴とする請求項１記載のＩＰ通信端末であり、電話番号を登録しておいてもゲートウェイで変換でき、接続をワンタッチで行なえる。
【００１７】
本発明の請求項４に記載の発明は、ワンタッチダイヤル番号にＩＰアドレスが関係付けられた場合には、ピア・ツー・ピアで接続するためにフラグがワンタッチダイヤルテーブルにセットされないことを特徴とする請求項１記載のＩＰ通信端末であり、ＩＰアドレスが登録されているため直接ＩＰ通信端末で接続でき、ＩＰ通信端末間を安定した音質の通話を行なうことができる。
【００１８】
本発明の請求項５に記載の発明は、ワンタッチダイヤル番号に接続先が未登録の場合には、ゲートウェイに通信可能な相手先一覧を要求するためのフラグがセットされることを特徴とする請求項１記載のＩＰ通信端末であり、未登録のワンタッチダイヤルキーを操作することにより、ゲートウェイに記録されている通信可能な相手先一覧から簡単にワンタッチ登録を行なうことができる。
【００１９】
本発明の請求項６に記載の発明は、ワンタッチダイヤル番号に接続先が未登録の場合に、内部の電話帳・アドレステーブルから通信可能な相手先一覧を読み出すためのフラグがセットされることを特徴とする請求項１記載のＩＰ通信端末であり、未登録のワンタッチダイヤルキーを操作することにより、内部の電話帳・アドレステーブルに記録されている通信可能な相手先一覧から簡単にワンタッチ登録を行なうことができる。
【００２０】
本発明の請求項７に記載の発明は、ワンタッチダイヤルテーブルのデータ域が可変長であって、該ワンタッチダイヤルテーブルにセットできる文字数が無制限であることを特徴とする請求項１〜６のいずれかに記載のＩＰ通信端末であり、ＩＰ通信端末では致命的となるワンタッチダイヤルテーブルの登録文字数の制限を取り外すことができる。
【００２１】
本発明の請求項８に記載の発明は、ターミナルからウェブサーバにアクセスし、該ウェブサーバからワンタッチ登録用ウェブページを受信して該ワンタッチ登録用ウェブページによってワンタッチ登録要求を行い、ウェブサーバがＩＰ通信端末のワンタッチ登録を行なうことを特徴とするワンタッチダイヤル登録方法であり、ターミナルからウェブサーバを利用することにより、ＩＰ通信端末の接続をワンタッチで行なわせることができる。
【００２２】
本発明の請求項９に記載の発明は、他のＩＰ通信端末から着信して通話終了後に、未登録のワンタッチダイヤルキーを押下してゲートキーパーにエイリアスアドレスを問い合わせ、該エイリアスアドレスとワンタッチダイヤル番号を関係付けてＩＰ通信端末のワンタッチ登録を行なうことを特徴とするワンタッチダイヤル登録方法であり、通話終了後に、未登録のワンタッチダイヤルキーを押下するだけで、ＩＰ通信端末の接続をワンタッチで行なわせることができる。
【００２３】
本発明の請求項１０に記載の発明は、未登録のワンタッチダイヤルキーを押下してゲートウェイに通信可能な相手先一覧を要求し、該相手先一覧の中から相手先を選択してワンタッチダイヤルキーを押下すると、選択した相手先のＩＰ通信端末が該ワンタッチダイヤルキーに関係づけられてワンタッチ登録されることを特徴とするワンタッチダイヤル登録方法であり、未登録のワンタッチダイヤルキーを押下するだけで、ゲートウェイから通信可能な相手先一覧を得て、ＩＰ通信端末の接続をワンタッチで行なわせることができる。
【００２４】
本発明の請求項１１に記載の発明は、未登録のワンタッチダイヤルキーを押下して記憶手段の電話帳・アドレステーブルから通信可能な相手先一覧を読み出し、該相手先一覧の中から相手先を選択してワンタッチダイヤルキーを押下すると、選択した相手先のＩＰ通信端末が該ワンタッチダイヤルキーに関係づけられてワンタッチ登録されることを特徴とするワンタッチダイヤル登録方法であり、未登録のワンタッチダイヤルキーを押下するだけで、電話帳・アドレステーブルから通信可能な相手先一覧を入手して、ＩＰ通信端末の接続をワンタッチで行なわせることができる。
【００２５】
（実施の形態１）
以下、本発明の実施の形態１におけるＩＰ通信端末とワンタッチダイヤル登録方法について図面に基づいて説明を行う。図１は本発明の実施の形態１におけるネットワーク通信システムのネットワーク全体構成図、図２は本発明の実施の形態１におけるＩＰ通信端末のブロック構成図、図３（ａ）は図２のＩＰ通信端末の外観図、図３（ｂ）は図２のＩＰ通信端末のワンタッチダイヤルテーブルの説明図である。
【００２６】
図１において、１はイントラネットやインターネット等のＴＣＰ／ＩＰ等のプロトコルで通信することができるネットワーク、１ａは電話回線網（ＰＳＴＮ，ＩＳＤＮ）、２ａ，２ｂはネットワーク１を介して音声通信することができるＩＰ電話等のＩＰ通信端末、２ｚは一般電話である。なお、本発明のＩＰ通信端末２ａ，２ｂは音声通信のほかに画像を通信することもできる。３は、ＩＰ通信端末２ａ，２ｂが接続先の端末のドメイン名を使ってグローバルＩＰアドレス（以下、ＩＰアドレス）を問い合わせたときにＩＰアドレスに変換できるＤＮＳサーバ、４はＩＰ通信端末２ａ，２ｂからのアクセスで後述のワンタッチ登録用ウェブページを送信できるウェブサーバ、５ａはＩＰ通信端末２ａ，２ｂやウェブサーバ４からの要求でエリアスアドレスをＩＰアドレスに変換できるゲートキーパー、５ｂはネットワーク１に接続されたＩＰ通信端末等のＩＰアドレスやエイリアスアドレス等のデータを保持し、ＩＰ通信端末等からの問い合わせを保持するデータに基づいて返答等するディレクトリサーバ、６ａ，６ｂはルータ、７ａ，７ｂはパソコン等で構成されるターミナルである。なお、本実施の形態では、ルータ６ａ，６ｂ配下にＩＰ通信端末２ａ，２ｂとターミナル７ａ，７ｂが接続されており、ＤＮＳサーバ３は端末２ａ，２ｂのアドレスとホスト名の対応関係の管理等している。８はネットワーク１と電話回線網１ａを接続するゲートウェイである。
【００２７】
ところで実施の形態１のＩＰアドレスは以上述べたようにグローバルＩＰアドレスであるが、ＬＡＮ内で使用する場合等では、ＩＰアドレスはローカルＩＰアドレスであってよい。一般電話２ｚから回線を介しゲートウェイ８でネットワーク１に接続するときは、電話番号からＩＰアドレスに変換される。
【００２８】
図２はＩＰ通信端末２ａ，２ｂのブロック構成を示しており、１０は音声入力を行うマイク、１１は復号化した音声信号を音声として出力するスピーカ、１２はマイク１０からの音声信号をＡ／Ｄ変換してデジタル化して圧縮し符号化した音声データを出力し、受信した音声データを伸長してＤ／Ａ変換後に音声信号として出力する音声処理手段である。
【００２９】
１３は、テンキーや送信ボタンの押下等により入力するキー入力手段、１４はワンタッチダイヤル登録を行なうワンタッチダイヤル管理手段、１５は中央処理装置に制御プログラムがロードされてシステム制御を行う機能実現手段としての制御手段、１６は制御プログラムを格納し一時記憶までを含んだ記憶手段、１６ａは記憶手段１６に設けられ、ＩＰ通信端末２ａ，２ｂがアクセスするためのアドレス情報を格納した電話帳・アドレステーブル、１６ｂはワンタッチ登録したアドレス情報を格納したワンタッチダイヤルテーブル、１６ｃは着信履歴格納部である。１７はネットワークに接続して通信管理とデータリンク層の通信制御を行うことができるインタフェース手段である。インタフェース手段１７は、音声通信するときにはＨ．３２３やプロトコルＳＩＰに従って通話管理を行う。なお、画像通信するときにはプロトコルＨＴＴＰ等で通信管理を行う。
【００３０】
続いて、図３（ａ），（ｂ）に基づいてＩＰ通信端末とワンタッチダイヤルテーブル１６ｂの構成について説明する。図３（ａ）において、１８は実施の形態１のＩＰ通信端末２ａであるＩＰ電話、１９はワンタッチダイヤルキー、１９１〜１２はワンタッチダイヤル１〜１２である。２０はテンキー、２１はハンドセットである。
【００３１】
図３（ｂ）はワンタッチダイヤルテーブル１６ｂを示しており、２２はワンタッチダイヤル１〜１２と対応するワンタッチダイヤル番号、２３はワンタッチダイヤルで接続を行ないたい接続先である。２４は電話番号やエイリアスアドレス、ＩＰアドレスを記録した電話番号／アドレス、２５は電話番号／アドレス２４を送信する送信先を指定するリンク先フラグである。図３（ｂ）のワンタッチダイヤルテーブル１６ｂでは、ワンタッチダイヤル１〜４は登録されているが、ワンタッチダイヤル５，６は未登録である。
【００３２】
電話番号／アドレス２４には、ワンタッチダイヤル１の「１１１．２２２．３３３．４４４」のようにＩＰアドレスが記録されたり、ワンタッチダイヤル２に記載された「ｈａｎａｋｏ１２３・・９０１２・・９０＠ｘｙｚ．ｃｏｍ」のようなエイリアスアドレスであってもよい。なお、エイリアスアドレスは正規のアドレスに対して別に設定した別名アドレスであり、とくにこのワンタッチダイヤル２のエイリアスアドレスは３４文字のものである。ワンタッチダイヤル３の「０１２３−４５６−７８９０」は電話番号、ワンタッチダイヤル４の「２３４５」は電話番号であるが、内線番号である。
【００３３】
ところで、従来のワンタッチダイヤルで登録されるのは電話番号であった。従ってどのような電話番号であっても、接続先名と併せても３２文字以上になることはなく、登録文字は３２文字内で十分であり、３２文字内で登録するという制限を受けていた。しかし、ＩＰ電話においてワンタッチダイヤルを実現しようとすると、実施の形態１のように「ｈａｎａｋｏ１２３・・９０１２・・９０＠ｘｙｚ．ｃｏｍ」という３４文字のエイリアスアドレスは少なくとも登録できず、ワンタッチダイヤルできないことになる。同様に、以下説明するリンク先フラグ２５を登録したり、接続先の名前、ＩＰアドレスもポート番号が付加されたりすると優に３２文字を超えることが予想され、ＩＰ電話からワンタッチダイヤルで発信できないことになる。すなわち、従来の文字数制限と異なった新しい考えが必要になる。そこで、実施の形態１のＩＰ電話においてはこの文字制限をなくし、可変長のデータ域としている。これにより、如何なる場合もＩＰアドレス、エイリアスアドレス等をワンタッチ登録ができることになる。なお、固定長のデータ域でも１２８文字分２５６バイトとするのでもよい。この場合、確率的に無視できる程度のもので、事実上文字数に制限がなくなる。
【００３４】
次に、リンク先フラグ２５について説明すると、図１（ａ），（ｂ）において、ワンタッチダイヤル１のＩＰアドレスはピア・ツー・ピアで接続されるためフラグをセットする必要はない。しかし、ワンタッチダイヤル２に登録されたエイリアスアドレスについては送信先がゲートキーパー５ａになる。そこでゲートキーパーフラグとして「Ｆ１」がセットされる。同様にワンタッチダイヤル３における「０１２３−４５６−７８９０」と、ワンタッチダイヤル４における「２３４５」は内線の電話番号であり、ゲートウェイ８に送信して変換されなければならず、ゲートフラグＦ２がセットされる。
【００３５】
ところで、ワンタッチダイヤル５，６は未登録である。しかし、リンク先フラグ２５にはデフォルト値としてワンタッチダイヤル５に「Ｆ２」、ワンタッチダイヤル６に「Ｆ３」がセットされている。これはこの未登録のワンタッチダイヤル５を押下したときは、所定のゲートウェイ８に相手先一覧の表示要求をするためである。このときゲートウェイ８は通信可能な相手先一覧を検索容易なフォーマットにしてＩＰ通信端末２ａに送信して表示させる。また、未登録のワンタッチダイヤル６を押下したときは、ＩＰ通信端末２ａの電話帳・アドレステーブル１６ａや着信履歴格納部１６ｃの着信履歴から通信可能な相手先一覧をＩＰ通信端末２ａに表示させる。
【００３６】
なお、この「Ｆ２」、「Ｆ３」が混在して使用されることはなく、設定によって「Ｆ２」、「Ｆ３」のどちらか一方がデフォルトとしてセットされる。そして、デフォルトの「Ｆ２」、「Ｆ３」がセットされている場合、それぞれ将来正規の電話番号が入力されれば「Ｆ２」、正規のエイリアスアドレスが入力されれば「Ｆ１」に更新される。
【００３７】
さて通信可能な相手先一覧が表示され、この中から相手先「中島三郎」と電話番号例えば「１２３４−５６７−８９０１」を選んだら、そのワンタッチダイヤル６を再押しする。図２（ｂ）のワンタッチダイヤル５，６の丸括弧は一覧表示から入力されて更新されたことを示す。これによってワンタッチダイヤル管理手段１４はワンタッチダイヤルテーブル１６ｂにその相手先と電話番号を記憶するとともにリンク先フラグ２５にゲートウェイフラグ「Ｆ２」をセットし、同時に発呼し、この相手先にアクセスする。
【００３８】
ところで、ゲートウェイ８に後述するユーザワンタッチダイヤルテーブル３７ｂが設けられているときには、相手先の名前「ＣＤ商会」、電話番号「２３４５−６７８−９０１２」、ワンタッチダイヤル番号を記憶する。またこれと一連の動作として、ＩＰ通信端末２ａのワンタッチダイヤルテーブル１６ｂには相手先の「ＣＤ商会」、電話番号「２３４５−６７８−９０１２」、ゲートウェイフラグ「Ｆ３」をセットする。しかし、電話番号は空欄にしておいても構わない。ゲートウェイフラグ「Ｆ３」がセットされていれば、ゲートウェイ８はワンタッチダイヤル番号から電話番号「２３４５−６７８−９０１２」を認識することができる。
【００３９】
続いてターミナル７ａ，７ｂの機能構成について説明する。ターミナル７ａ，７ｂはパソコンに通信機能とワンタッチ登録要求機能が搭載されたものである。なお、ワンタッチ登録要求機能はウェブサーバ４から送信される情報にて構成されるようにしてもよい。図４（ａ）は本発明の実施の形態１におけるターミナルの機能構成図、図４（ｂ）は本発明の実施の形態１におけるウェブサーバの機能構成図、図５（ａ）は本発明の実施の形態１におけるゲートウェイの機能構成図、図５（ｂ）は本発明の実施の形態１におけるゲートキーパーの機能構成図である。
【００４０】
図４（ａ）において、２６は中央処理装置に制御プログラムがロードされてシステム制御を行う機能実現手段（以下説明する各機能手段はすべて同じ）としてのターミナル制御手段、２７は制御プログラムを格納し一時記憶まで含んだ記憶手段、２７ａは記憶手段２７に設けられ、ウェブサーバ４にアクセスするためのアドレステーブル、２８はウェブサーバ４にワンタッチ登録要求ウェブページを要求し、ウェブサーバ４にワンタッチ登録要求を行うワンタッチダイヤル管理手段である。このワンタッチダイヤル管理手段は、汎用のブラウザ手段とウェブサーバ４から送信されるワンタッチ登録要求ウェブページとから構成するようにしてもよい。２９はキーボード等の入力手段、３０はネットワークに接続して各プロトコルに従って通信管理とデータリンク層の制御を行うことができるインタフェース手段である。
【００４１】
続いて、図４（ｂ）に基づいてワンタッチダイヤル処理を行うウェブサーバの機能構成について説明する。図４（ｂ）はウェブサーバ４のブロック構成を示し、３１はウェブサーバ４のシステム制御を行うサーバ制御手段、３２は記憶手段、３２ａはワンタッチ登録用ウェブページのフォーマット等のデータを格納したワンタッチ登録用データ格納部である。３３はターミナル７ａ，７ｂからワンタッチ登録要求が行なわれたときワンタッチ登録用ウェブページをワンタッチ登録用データ格納部３２ａから読み出して送信するＨＴＭＬ通知手段、３４はネットワークに接続してＴＣＰ／ＩＰによる通信管理と制御を行うことができるインタフェース手段である。
【００４２】
ウェブサーバ４は、ターミナル７ａ，７ｂからワンタッチ登録要求のためアクセスされると、ゲートキーパー５ａもしくはディレクトリサーバ５ｂに対してアドレスデータ（以下、ＩＰアドレスと付加情報を含めてアドレスデータという）を要求し、後述の変換テーブル４１ｂの参照により、エイリアスアドレスや電話番号，ＩＰアドレス等とその送信先とのリンク情報を含めたアドレスデータを取得すると、ターミナル７ａ，７ｂに対してワンタッチ登録要求ウェブページを送信する。ターミナル７ａ，７ｂはこのウェブページを使ってウェブサーバ４に登録要求を送信する。ウェブサーバ４は取得したアドレス情報をＩＰ通信端末２ａ，２ｂに送信し、ＩＰ通信端末２ａ，２ｂではその設定を行う。
【００４３】
次に、ゲートウェイ８とゲートキーパー５ａの機能構成について説明する。図５（ａ）に示すように、３５は電話回線網１ａ（ＰＴＳＮ，ＩＳＤＮ）とのインタフェースを行なう回線インタフェース手段、３６は音声通信とネットワーク通信との交換処理を行なうコールセンタ機能手段、３７は一時記憶を含む記憶が行なえる記憶手段、３７ａは電話番号テーブル、３７ｂはユーザワンタッチダイヤルテーブル、３７ｃは通話履歴格納部、３８はプロトコルＨ．３２３やプロトコルＳＩＰでネットワークとの接続処理を行うネットワークインタフェース手段、３９はゲートウェイ制御手段である。
【００４４】
ゲートウェイ８では、電話回線網１ａまたはネットワーク１から着信すると、プロトコル変換してそれぞれ他方へ着信させる。そしてこのほか、上述したようにＩＰ通信端末２ａから未登録のワンタッチダイヤルキーが押下されると、通信可能な相手先一覧を検索容易なフォーマットでＩＰ通信端末２ａに送信し、表示させることもできる。同時にＩＰ通信端末２ａのワンタッチダイヤル番号を記憶する。ゲートウェイ８は、ＩＰ通信端末２ａからアクセスがあったときワンタッチダイヤル番号から電話番号を認識することができるものである。
【００４５】
続いてゲートキーパー５ａの機能構成は、図５（ｂ）において４０がシステム制御を行うゲートキーパー制御手段、４１がネットワークインタフェース手段、４２がネットワークインタフェース手段４１から通信データを受けとって処理するコール制御手段、４３はエイリアスアドレスとＩＰアドレスを変換するアドレス変換手段、４４は記憶手段、４４ａはエイリアスアドレスとＩＰアドレスと対応付ける変換テーブルである。
【００４６】
ゲートキーパー５ａはゲートウェイ８やターミナル７ａ，７ｂ、ＩＰ通信端末２ａ，２ｂからの通話要求を受けると、コール制御手段４２がエイリアスアドレスをアドレス変換手段４３に渡し、アドレス変換手段４３は変換テーブル４４ａを参照し、エイリアスアドレスと対応するＩＰアドレスに変換し、このＩＰアドレスをコール制御手段４２に渡す。例えばＩＰ通信端末２ａがエイリアスアドレスでＩＰ通信端末２ｂ、一般電話２ｚに通話する場合、ゲートキーパー５ａによってＩＰアドレスに変換後にＩＰ通信端末２ｂに送信され、未登録の場合と一般電話２ｚの場合はゲートウェイ８に送信され、処理される。なお、未登録の場合は、未登録である旨の情報をＩＰ通信端末２ａに送信するようにしてもよく、また登録がある場合に、ＩＰ通信端末２ｂのＩＰアドレスをＩＰ通信端末２ａに送信し、ＩＰ通信端末２ａから直接ピア・トゥー・ピアで接続させるようにしてもよい。
【００４７】
さらに、ゲートキーパー５ａはウェブサーバ４からＩＰ通信端末２ａ，２ｂのアドレスデータの問い合わせを受けると、エイリアスアドレスが既に登録されているときはこのアドレスデータをウェブサーバ４に通知し、未登録の場合はＩＰ通信端末２ａ，２ｂにアドレスデータを問い合わせ、応答を得たらこれをウェブサーバ４に送信するものである。
【００４８】
そこで、本発明の実施の形態１におけるワンタッチダイヤル登録について説明する。図６は本発明の実施の形態１におけるワンタッチダイヤル登録第１モードのフローチャート、図７は本発明の実施の形態１におけるワンタッチダイヤル登録第２モードのフローチャート、図８は本発明の実施の形態１におけるワンタッチダイヤル登録第３モードのフローチャート、図９は図６のワンタッチダイヤル登録第１モードの第１シーケンスチャート、図１０は図６のワンタッチダイヤル登録第１モードの第２シーケンスチャート、図１１は本発明の実施の形態１におけるワンタッチダイヤル登録第４モードのシーケンスチャートである。
【００４９】
まず図６、図９、図１０に基づいて、ターミナルからのワンタッチダイヤル登録第１モードについて説明する。図６において、ターミナル７ａからＩＰ通信端末２ａにワンタッチダイヤル登録を行なうためにウェブサーバ４にアクセスする（ｓｔｅｐ１）。図９，図１０に示すようにウェブサーバ４のＵＲＬでアクセスすると、ＤＮＳサーバ３がＩＰアドレスを送信し、ターミナル７ａはこのＩＰアドレスでウェブサーバ４にアクセスする。次いで、ウェブサーバ４はゲートキーパー５ａにアドレスデータを要求し（ｓｔｅｐ２）、このときゲートキーパー５ａはアドレスデータにワンタッチダイヤルデータが登録済みであるか否かをチェックする（ｓｔｅｐ３）。アドレスデータが変換テーブル４４ａに未登録（一部を含む）の場合、図１０に示すように、ＩＰ通信端末２ａにワンタッチダイヤルデータを問い合わせ、これを取得する（ｓｔｅｐ４）。なお、登録済みであっても、ＩＰ通信端末のワンタッチダイヤルデータに変更がある場合もあるため、登録の有無に関わらず、常にＩＰ通信端末２ａにワンタッチダイヤルデータを問い合わせ、これを取得するようにしてもよい。ｓｔｅｐ３においてワンタッチダイヤルデータが登録済みの場合、及びｓｔｅｐ４でワンタッチダイヤルデータを取得した場合の双方で、ウェブサーバ４にアドレスデータを送信する（ｓｔｅｐ５）。
【００５０】
ウェブサーバ４は図９，図１０に示すようにターミナル７ａにワンタッチ登録用ウェブページを送信し（ｓｔｅｐ６）、ターミナル７ａではこのワンタッチ登録用ウェブページに記載されたワンタッチダイヤルデータを確認し、ワンタッチダイヤルデータの変更や追加をワンタッチ登録用ウェブページ上で行った場合、ワンタッチ登録要求をウェブサーバ４に送信し（ｓｔｅｐ７）、ウェブサーバ４はＩＰ通信端末２ａにワンタッチダイヤルデータの変更や追加を伴う登録アドレスを送信する（ｓｔｅｐ８）。
【００５１】
ＩＰ通信端末２ａのワンタッチダイヤル管理手段１４は、登録要求された登録アドレスがエイリアスアドレスの登録か否かをチェックする（ｓｔｅｐ９）。エイリアスアドレスの登録の場合、ワンタッチダイヤル管理手段１４はワンタッチダイヤルテーブル１６ｂにエイリアスアドレスと、これに加えてゲートキーパー５ａとリンクしていることを示すゲートキーパーフラグＦ２を登録する（ｓｔｅｐ１０）。ｓｔｅｐ９において、登録アドレスがエイリアスアドレスの登録ではない場合、ワンタッチダイヤル管理手段１４は登録アドレスが電話番号か否かをチェックする（ｓｔｅｐ１１）。電話番号の登録の場合、ワンタッチダイヤル管理手段１４はワンタッチダイヤルテーブル１６ｂに電話番号と、これに加えてゲートウェイ８とリンクしていることを示すゲートウェイフラグＦ２を登録する（ｓｔｅｐ１２）。さらに、ｓｔｅｐ１１において、登録アドレスが電話番号の登録ではない場合、ワンタッチダイヤル管理手段１４は登録アドレスがＩＰアドレスの登録か否かをチェックする（ｓｔｅｐ１３）。ＩＰアドレスの登録の場合、ワンタッチダイヤルテーブル１６ｂにＩＰアドレスを登録し（ｓｔｅｐ１４）、ＩＰアドレスの登録でない場合はｓｔｅｐ９に戻るものである。
【００５２】
続いて、図７に基づいて自端末の着信履歴格納部１６ｃまたはアドレスデーブル１６ａに記録された着信履歴または電話帳によって登録を行なうワンタッチダイヤル登録第２モードについて説明する。ワンタッチダイヤルキー１９（図３（ａ）参照）を押下すると（ｓｔｅｐ２１）、キー入力手段１３による第２登録モードの設定が行なわれる。ここでＩＰアドレスを直接入力するか否かがチェックされ（ｓｔｅｐ２２）、直接ＩＰアドレスを入力する場合は、これをＩＰアドレスとして登録するか否かがチェックされ（ｓｔｅｐ２３）、登録する場合ワンタッチダイヤル管理手段１４は入力されたＩＰアドレスをワンタッチダイヤルテーブル１６ｂに登録する。
【００５３】
ｓｔｅｐ２３において、直接ＩＰアドレスを入力しない場合、自端末の着信履歴格納部１６ｃまたは電話帳・アドレステーブル１６ａに記録された着信履歴または電話帳のアドレスデータに基づいて登録するか否かがチェックされる（ｓｔｅｐ２５）。このチェックは、電話機の所定のボタンが操作されたか否かに基づいて判断する。着信履歴か電話帳のアドレスデータから登録しない場合にはｓｔｅｐ２２に戻る。
【００５４】
ｓｔｅｐ２５において着信履歴か電話帳のアドレスデータから登録する場合、ＩＰ通信端末２ａのワンタッチダイヤル管理手段１４は、登録アドレスがエイリアスアドレスの登録か否かをチェックする（ｓｔｅｐ２６）。エイリアスアドレスの登録の場合、ワンタッチダイヤル管理手段１４はワンタッチダイヤルテーブル１６ｂにエイリアスアドレスと、これに加えてゲートキーパーフラグＦ２を登録する（ｓｔｅｐ２７）。ｓｔｅｐ２６において、登録アドレスがエイリアスアドレスの登録ではない場合、ワンタッチダイヤル管理手段１４は登録アドレスが電話番号の登録か否かをチェックする（ｓｔｅｐ２８）。電話番号の登録の場合、ワンタッチダイヤル管理手段１４はワンタッチダイヤルテーブル１６ｂに電話番号とゲートウェイフラグＦ１を登録する（ｓｔｅｐ２９）。さらに、ｓｔｅｐ２８において、登録アドレスが電話番号の登録ではない場合、ワンタッチダイヤル管理手段１４は登録アドレスがＩＰアドレスの登録か否かをチェックする（ｓｔｅｐ３０）。ＩＰアドレスの登録の場合、ワンタッチダイヤルテーブル１６ｂにＩＰアドレスを登録し（ｓｔｅｐ３１）、ＩＰアドレスの登録でない場合はｓｔｅｐ２６に戻るものである。
【００５５】
次に、図８のフローチャートに基づいてゲートキーパー５ａに記録された相手先一覧のアドレスデータを問い合わせて行なうワンタッチダイヤル登録第３モードについて説明する。図８において、ワンタッチダイヤル登録を行なう場合（ｓｔｅｐ４１）、ＩＰ通信端末２ａのワンタッチダイヤル管理手段１４はゲートキーパー５ａにアクセスし（ｓｔｅｐ４２）、相手先一覧を受信する（ｓｔｅｐ４３）。ワンタッチダイヤル管理手段１４はディスプレーに相手先一覧を表示し（ｓｔｅｐ４４）、ワンタッチダイヤル登録を行なう相手先を選択し（ｓｔｅｐ４５）、選択されたらこの相手先のＩＰアドレスを登録するワンタッチダイヤルキー１９を選択する（ｓｔｅｐ４６）。ワンタッチダイヤルキー１９を押下すると、ワンタッチダイヤル管理手段１４はワンタッチダイヤルテーブル１６ｂにこの相手先のＩＰアドレスを関係付けて登録する。
【００５６】
このワンタッチダイヤル登録第３モードはゲートキーパー５ａに記録された相手先一覧のアドレスデータを問い合わせて行なうものであるが、このフローチャートとまったく同様に、リンク先フラグ２５がＦ２の未登録のワンタッチダイヤルキー１９を押下し、ゲートウェイ８から相手先一覧を受信し、ディスプレーに相手先一覧を表示して、その中の１つを選択し、ワンタッチダイヤルテーブル１６ｂにこの相手先のＩＰアドレスを登録することもできる。これについては上述した通りである。
【００５７】
最後のワンタッチダイヤル登録第４モードは、ＩＰ通信端末２ａからＩＰ通信端末２ｂのエイリアスアドレスにアクセスしたときに行なう登録でモードである。図１１に示すように、ＩＰ通信端末２ａからＩＰ通信端末２ｂのエイリアスアドレスにアクセスすると、ゲートキーパー５ａは変換テーブル４４ａによってエイリアスアドレスをＩＰアドレスに変換し、ＩＰ通信端末２ａにＩＰアドレスを送信する。ＩＰ通信端末２ａはこのＩＰアドレスを使ってＩＰ通信端末２ｂにアクセスする。ＩＰ通信端末２ｂはこれを受信すると、応答をＩＰ通信端末２ａに送信して、通話状態に入る。通話が終了すると、ＩＰ通信端末２ｂはゲートキーパー５ａに履歴情報として記録された相手先のアドレスデータを問い合わせる。図８のワンタッチダイヤル登録と同様の手順で、ゲートキーパー５ａに記録された相手先のアドレスデータを取得し、ＩＰ通信端末２ｂはワンタッチダイヤルテーブル１６ｂにこの相手先のＩＰアドレスを登録するものである。
【００５８】
以上説明したように、実施の形態１のＩＰ通信端末２ａ，２ｂがワンタッチダイヤルによってＩＰ通信端末２ａ，２ｂから発信するときの発信モードについて説明する。図１２は本発明の実施の形態１におけるＩＰ通信端末がワンタッチダイヤルによる発信モードのフローチャートである。図１２において、ワンタッチダイヤルキーを押下すると（ｓｔｅｐ５１）、ワンタッチダイヤル管理手段１４はワンタッチダイヤルテーブル１６ｂを参照する（ｓｔｅｐ５２）。
【００５９】
次に、ワンタッチダイヤルテーブル１６ｂにＩＰアドレスの登録があるか否かがチェックされ（ｓｔｅｐ５３）、登録されていなければ「ワンタッチダイヤル登録なし」表示を行なう（ｓｔｅｐ５４）。ｓｔｅｐ５３において、ＩＰアドレスの登録がある場合、リンク先フラグがゲートキーパーフラグＦ１か否かがチェックされ（ｓｔｅｐ５５）、ゲートキーパーフラグＦ１の場合はゲートキーパーへエイリアスアドレスに対応するＩＰアドレスを問い合わせて（ｓｔｅｐ５６）、そのＩＰアドレスにアクセスする。
【００６０】
そしてｓｔｅｐ５５において、リンク先フラグがゲートキーパーフラグＦ１でなかった場合、リンク先フラグがゲートウェイフラグＦ２か否かがチェックされ（ｓｔｅｐ５７）、ゲートウェイフラグＦ２の場合はワンタッチダイヤルテーブル１６ｂの電話番号／アドレス２４の欄に電話番号がセットされているか否かがチェックされる（ｓｔｅｐ５８）。ここで電話番号が登録されていたときは、ゲートウェイ８にこの電話番号でアクセスする（ｓｔｅｐ５９）。ｓｔｅｐ５８において、電話番号が登録されていなかったときは、通話可能な相手先一覧をディスプレーに表示させ（ｓｔｅｐ６０）、相手先電話番号を選択後にワンタッチダイヤルキーを押してワンタッチ登録する（ｓｔｅｐ６１）。その後、ｓｔｅｐ５８に戻って再度アクセスする。ｓｔｅｐ５７において、リンク先フラグがゲートウェイフラグＦ２でなかった場合は登録されたＩＰアドレスに発信する（ｓｔｅｐ６２）。
【００６１】
以上説明したように実施の形態１のＩＰ通信端末とワンタッチダイヤル登録方法は、ワンタッチダイヤルを押下することで、通話時の接続をワンタッチで行なえ、アドレス情報の登録を容易に行なうことができる。ワンタッチダイヤルの登録も数多くの方法で行なえ、ＩＰアドレス、エイリアスアドレス、電話番号のどれを使っても発着信できる。ＩＰ通信端末にとって不可欠な文字数に制限がなく、ワンタッチダイヤルを初めて実用性のあるものにすることができる。
【００６２】
【発明の効果】
本発明のＩＰ通信端末によれば、ワンタッチダイヤル番号と関係付けられたＩＰアドレス、エイリアスアドレス、電話番号のいずれかが登録されるため、通話時の接続をワンタッチで行なえ、アドレス情報の登録を容易に行なうことができる。
【００６３】
ゲートキーパーにエイリアスアドレスを送信するためのフラグがセットされるから、エイリアスアドレスを登録しておいてもゲートキーパーでＩＰアドレスに変換でき、接続をワンタッチで行なえる。
【００６４】
ゲートウェイに電話番号を送信するためのフラグがセットされるから、電話番号を登録しておいてもゲートウェイで変換でき、接続をワンタッチで行なえる。
【００６５】
また、ＩＰアドレスが登録されるため、直接ＩＰ通信端末で接続でき、ＩＰ通信端末間を安定した音質の通話を行なうことができる。
【００６６】
ゲートウェイに通信可能な相手先一覧を要求するためのフラグがセットされるため、未登録のワンタッチダイヤルキーを操作することにより、ゲートウェイに記録されている通信可能な相手先一覧から簡単にワンタッチ登録を行なうことができる。また、内部の電話帳・アドレステーブルから通信可能な相手先一覧を読み出すためのフラグがセットされるから、未登録のワンタッチダイヤルキーを操作することにより、内部の電話帳・アドレステーブルに記録されている通信可能な相手先一覧から簡単にワンタッチ登録を行なうことができる。
【００６７】
ワンタッチダイヤルテーブルにセットできる文字数が無制限であるから、ＩＰ通信端末では致命的となるワンタッチダイヤルテーブルの登録文字数の制限を取り外すことができる。
【００６８】
本発明のワンタッチダイヤル登録方法によれば、ターミナルからウェブサーバにアクセスし、ワンタッチ登録用ウェブページによってワンタッチ登録要求を行なうから、ターミナルからウェブサーバを利用することにより、ＩＰ通信端末の接続をワンタッチで行なわせることができる。
【００６９】
通話終了後に、未登録のワンタッチダイヤルキーを押下してゲートキーパーにエイリアスアドレスを問い合わせるため、通話終了後に、未登録のワンタッチダイヤルキーを押下するだけで、ＩＰ通信端末の接続をワンタッチで行なわせることができる。
【００７０】
ゲートウェイに通信可能な相手先一覧を要求して相手先を選択してワンタッチ登録するため、未登録のワンタッチダイヤルキーを押下するだけで、ゲートウェイから通信可能な相手先一覧を得て、ＩＰ通信端末の接続をワンタッチで行なわせることができる。
【００７１】
記憶手段の電話帳・アドレステーブルから通信可能な相手先一覧を読み出し、相手先を選択してワンタッチ登録するから、未登録のワンタッチダイヤルキーを押下するだけで、電話帳・アドレステーブルから通信可能な相手先一覧を入手して、ＩＰ通信端末の接続をワンタッチで行なわせることができる。
【図面の簡単な説明】
【図１】本発明の実施の形態１におけるネットワーク通信システムのネットワーク全体構成図
【図２】本発明の実施の形態１におけるＩＰ通信端末のブロック構成図
【図３】（ａ）図２のＩＰ通信端末の外観図
（ｂ）図２のＩＰ通信端末のワンタッチダイヤルテーブルの説明図
【図４】（ａ）本発明の実施の形態１におけるターミナルの機能構成図
（ｂ）本発明の実施の形態１におけるウェブサーバの機能構成図
【図５】（ａ）本発明の実施の形態１におけるゲートウェイの機能構成図
（ｂ）本発明の実施の形態１におけるゲートキーパーの機能構成図
【図６】本発明の実施の形態１におけるワンタッチダイヤル登録第１モードのフローチャート
【図７】本発明の実施の形態１におけるワンタッチダイヤル登録第２モードのフローチャート
【図８】本発明の実施の形態１におけるワンタッチダイヤル登録第３モードのフローチャート
【図９】図６のワンタッチダイヤル登録第１モードの第１シーケンスチャート
【図１０】図６のワンタッチダイヤル登録第１モードの第２シーケンスチャート
【図１１】本発明の実施の形態１におけるワンタッチダイヤル登録第４モードのシーケンスチャート
【図１２】本発明の実施の形態１におけるＩＰ通信端末がワンタッチダイヤルによる発信モードのフローチャート
【図１３】従来の電話発信するネットワーク通話システムの構成図
【符号の説明】
１  ネットワーク
１ａ  電話回線網
２ａ，２ｂ  ＩＰ通信端末
２ｚ  一般電話
３  ＤＮＳサーバ
４  ウェブサーバ
５ａ  ゲートキーパー
５ｂ  ディレクトリサーバ
６ａ，６ｂ  ルータ
７ａ，７ｂ  ターミナル
８  ゲートウェイ
１０  マイク
１１  スピーカ
１２  音声処理手段
１３  キー入力手段
１４  ワンタッチダイヤル管理手段
１５  制御手段
１６  記憶手段
１６ａ  電話帳・アドレステーブル
１６ｂ  ワンタッチダイヤルテーブル
１６ｃ  着信履歴格納部
１７  インタフェース手段
１８  ＩＰ電話
１９  ワンタッチダイヤルキー
１９１〜１２  ワンタッチダイヤル１〜１２
２０  テンキー
２１  ハンドセット
２２  ワンタッチダイヤル番号
２３  接続先
２４  電話番号／アドレス
２５  リンク先フラグ
２６  ターミナル制御手段
２７  記憶手段
２８  ワンタッチダイヤル管理手段
２７ａ  アドレステーブル
２９  入力手段
３０  インタフェース手段
３１  サーバ制御手段
３２  記憶手段
３２ａ  ワンタッチ登録用データ格納部
３３  ＨＴＭＬ通知手段
３４  インタフェース手段
３５  回線インタフェース手段
３６  コールセンタ機能手段
３７  記憶手段
３７ａ  ユーザワンタッチダイヤルテーブル
３７ｃ  通話履歴格納部
３８  ネットワークインタフェース手段
３９  ゲートウェイ制御手段
４０  ゲートキーパー制御手段
４１  ネットワークインタフェース手段
４２  コール制御手段
４３  アドレス変換手段
４４  記憶手段
４４ａ  変換テーブル
【図１】
2004187059.tif 000003
【図２】
2004187059.tif 000004
【図３】
2004187059.tif 000005
【図４】
2004187059.tif 000006
【図５】
2004187059.tif 000007
【図６】
2004187059.tif 000008
【図７】
2004187059.tif 000009
【図８】
2004187059.tif 000010
【図９】
2004187059.tif 000011
【図１０】
2004187059.tif 000012
【図１１】
2004187059.tif 000013
【図１２】
2004187059.tif 000014
【図１３】
2004187059.tif 000015